(57)【特許請求の範囲】
【請求項１】
電線を保護するプロテクタであって、
合体可能な第１本体部と第２本体部とを含み、前記第１本体部と前記第２本体部とが合体した状態でそれらの間に電線を収容可能な収容空間を形成する本体部と、
前記第１本体部に前記第２本体部側に突出するように設けられ、先端部に係止突部が設けられた挿入側係止部と、
前記第２本体部に設けられ、前記挿入側係止部を挿入可能な挿入孔が形成されると共に、前記挿入側係止部が前記挿入孔に挿入された状態で前記係止突部が係止可能な受側係止部と、
を備え、
前記挿入側係止部及び前記受側係止部の一方に、前記挿入側係止部の幅方向において対向する一対の内向き側面を有する凹部が形成され、
前記挿入側係止部及び前記受側係止部の他方に、前記挿入側係止部が前記受側係止部に係止した状態で、前記凹部の一対の内向き側面内に配設される突部が形成されている、プロテクタ。
【請求項２】
請求項１に記載のプロテクタであって、
前記挿入側係止部の一方主面に前記凹部が形成され、前記受側係止部に前記突部が形成されている、プロテクタ。
【請求項３】
請求項２に記載のプロテクタであって、
前記挿入側係止部の一方主面であって前記係止突部よりも前記挿入側係止部の基端側に前記凹部が形成され、
前記受側係止部のうち前記挿入側係止部の挿入方向側の端部に、前記突部として、前記挿入側係止部の挿入方向に向けて前記挿入孔に挿入された前記挿入側係止部の前記凹部内に向けて傾斜する弾性係止突部が突設されており、
前記挿入側係止部が前記受側係止部に係止した状態で、前記弾性係止突部が前記係止突部に係止すると共に、前記凹部の一対の内向き側面内に配設される、プロテクタ。
【請求項４】
請求項３に記載のプロテクタであって、
前記弾性係止突部の先端部と、前記挿入孔の内周面のうち前記弾性係止突部が傾斜するように向う側の面との隙間の間隔寸法が、前記挿入側係止部のうち前記係止突部の基端側部分の厚み寸法よりも小さい、プロテクタ。
【請求項５】
請求項１〜請求項４のいずれか１項に記載のプロテクタと、
前記本体部内に収容された電線と、
を備えるプロテクタ付電線。
【発明の詳細な説明】
【技術分野】
【０００１】
この発明は、ワイヤーハーネスを保護する技術に関する。
【背景技術】
【０００２】
特許文献１は、ワイヤーハーネス収容体と、蓋とを備えたプロテクタを開示している。ワイヤーハーネス収容体には、間隙が形成されたメスロックが形成され、蓋部には、メスロックに挿されるオスロックが形成されている。そして、オスロックがオスロックに刺されて、その先端部がメスロックに引っ掛かることによって、蓋がワイヤーハーネス収容体に閉じられた状態が維持されるようになっている。
【先行技術文献】
【特許文献】
【０００３】
【特許文献１】特開２０１４−１８３６９０号公報
【発明の概要】
【発明が解決しようとする課題】
【０００４】
しかしながら、特許文献１に開示の技術によると、製造誤差等によって、オスロックの幅が狭くなってしまったり、メスロックの間隙が広くなってしまったりすると、オスロックがメスロック内で大きくがたついてしまうという恐れがある。
【０００５】
そこで、本発明は、受側係止部内での挿入側係止部のがたつきを抑制することを目的とする。
【課題を解決するための手段】
【０００６】
上記課題を解決するため、第１の態様は、電線を保護するプロテクタであって、合体可能な第１本体部と第２本体部とを含み、前記第１本体部と前記第２本体部とが合体した状態でそれらの間に電線を収容可能な収容空間を形成する本体部と、前記第１本体部に前記第２本体部側に突出するように設けられ、先端部に係止突部が設けられた挿入側係止部と、前記第２本体部に設けられ、前記挿入側係止部を挿入可能な挿入孔が形成されると共に、前記挿入側係止部が前記挿入孔に挿入された状態で前記係止突部が係止可能な受側係止部とを備え、前記挿入側係止部及び前記受側係止部の一方に、前記挿入側係止部の幅方向において対向する一対の内向き側面を有する凹部が形成され、前記挿入側係止部及び前記受側係止部の他方に、前記挿入側係止部が前記受側係止部に係止した状態で、前記凹部の一対の内向き側面内に配設される突部が形成されているものである。
【０００７】
第２の態様は、第１に態様に係るプロテクタであって、前記挿入側係止部の一方主面に前記凹部が形成され、前記受側係止部に前記突部が形成されているものである。
【０００８】
第３の態様は、第２の態様に係るプロテクタであって、前記挿入側係止部の一方主面であって前記係止突部よりも前記挿入側係止部の基端側に前記凹部が形成され、前記受側係止部のうち前記挿入側係止部の挿入方向側の端部に、前記突部として、前記挿入側係止部の挿入方向に向けて前記挿入孔に挿入された前記挿入側係止部の前記凹部内に向けて傾斜する弾性係止突部が突設されており、前記挿入側係止部が前記受側係止部に係止した状態で、前記弾性係止突部が前記係止突部に係止すると共に、前記凹部の一対の内向き側面内に配設されるものである。
【０００９】
第４の態様は、第３の態様に係るプロテクタであって、前記弾性係止突部の先端部と、前記挿入孔の内周面のうち前記弾性係止突部が傾斜するように向う側の面との隙間の間隔寸法が、前記挿入側係止部のうち前記係止突部の基端側部分の厚み寸法よりも小さく設定されているものである。
【００１０】
第５の態様に係るプロテクタ付電線は、第１〜第４のいずれか１つの態様に係るプロテクタと、前記本体部内に収容された電線とを備える。
【発明の効果】
【００１１】
第１の態様によると、挿入孔内に挿入側係止部が挿入されているため、挿入側係止部の両側部が挿入孔の両側部に当接することによって、受側係止部に対する挿入側係止部のがたつきが抑制されている。同時に、挿入側係止部及び受側係止部の他方に形成された突部が凹部の一対の内向き側面に当接することによっても、受側係止部に対する挿入側係止部のがたつきが抑制されている。このため、製造誤差等によって、受側係止部の幅寸法が小さくなってしまったり、挿入孔の幅寸法が大きくなってしまったりしても、突部が凹部の一対の内向き側面に当接することによって、受側係止部に対する挿入側係止部のがたつきが抑制される。これにより、受側係止部内での挿入側係止部のがたつきを抑制することができる。
【００１２】
第２の態様によると、挿入側係止部に凹部が形成されているため、受側係止部の変形を抑制できる。このため、挿入側係止部と受側係止部との係止状態をより確実に維持できる。
【００１３】
第３の態様によると、前記受側係止部のうち前記挿入側係止部の挿入方向側の端部に、前記突部として、前記挿入側係止部の挿入方向に向けて前記挿入孔に挿入された前記挿入側係止部の前記凹部内に向けて傾斜する弾性係止突部が突設されており、挿入側係止部が前記受側係止部に係止した状態で、前記弾性係止突部が前記係止突部に係止するため、挿入側係止部をより確実に抜止め係止することができる。また、弾性係止突部は、凹部の一対の内向き側面内にも配設されるため、簡易な構成によって、受側係止部に対する挿入側係止部のがたつきを抑制できる。
【００１４】
第４の態様によると、前記弾性係止突部の先端側の隙間の間隔が、前記挿入側係止部のうち前記係止突部の基端側部分の厚み寸法よりも小さいため、弾性係止突部が係止突部に対してより確実に係止する。
【００１５】
第５の態様によると、がたつきの少ないプロテクタによって電線を保護できる。
【図面の簡単な説明】
【００１６】
【図１】プロテクタ付電線の概略分解斜視図である。
【図２】挿入側係止部及び受側係止部の係止前の状態を示す正面図である。
【図３】図２のＩＩＩ−ＩＩＩ線断面図である。
【図４】挿入側係止部及び受側係止部の係止状態を示す正面図である。
【図５】図４のＶ−Ｖ線断面図である。
【図６】図４のＶＩ−ＶＩ線断面図である。
【図７】変形例に係る挿入側係止部及び受側係止部の係止状態を示す正面図である。
【発明を実施するための形態】
【００１７】
以下、実施形態に係るプロテクタ及びプロテクタ付電線について説明する。図１は、プロテクタ付電線の概略分解斜視図である。
【００１８】
プロテクタ付電線１０は、電線１２と、プロテクタ２０とを備える。
【００１９】
ここでは、プロテクタ付電線１０は、複数の電線１２を備える。複数の電線１２は、１本に束ねられた状態でプロテクタ２０内に収容されている。なお、図１では、複数の電線１２が束ねられた全体形態を示している。複数の電線１２は、プロテクタ２０の内部又は外部で分岐していてもよい。電線１２に対して光ファイバケーブルが一緒に束ねられていてもよい。
【００２０】
電線１２の端部には、端子が取付けられ、端子がコネクタに挿入される。コネクタが車両等における各種電気機器側のコネクタに接続されることによって、各種電気機器がプロテクタ付電線１０を介して電気的に接続される。つまり、本プロテクタ付電線１０は、車両における配線材として用いられる。
【００２１】
プロテクタ２０は、上記電線１２の長手方向中間部を保護するものであり、本体部２２と、挿入側係止部３０と、受側係止部４０とを備える。
【００２２】
本体部２２は、第１本体部としての蓋部２８と、第２本体部としての収容部２４とを備える。そして、収容部２４と蓋部２８とが合体することによって、それらの間に電線１２を収容可能な収容空間を形成する。
【００２３】
ここでは、収容部２４は、溶融した樹脂を射出成型金型に射出することによって形成された部材であり、細長板状の底部２４ａと、底部２４ａの両側部に立設された一対の側壁部２４ｂとを備えており、両端部及び底部２４ａの反対側で開口する角樋状に形成されている。なお、底部２４ａの両端部は、側壁部２４ｂの端部よりも外方に突出している。そして、電線１２の長手方向中間部が収容部２４に収容されると共に、その両端側部分が収容部２４の両端側外方に延出する。収容部２４の両端部において、電線１２及び底部２４ａの両端部に粘着テープ又は結束バンド等が結束されることによって、収容部２４に対して電線１２が固定される。
【００２４】
蓋部２８は、溶融した樹脂を射出成型金型に射出することによって形成された部材であり、収容部２４のうち底部２４ａとは反対側の開口を閉鎖可能な細長板状に形成されている。そして、蓋部２８が、収容部２４のうち底部２４ａとは反対側の開口を閉鎖するようにして、収容部２４と合体することによって、電線１２の延在方向中間部を収容可能な直方体状の収容空間を形成する。
【００２５】
もっとも、蓋部が角樋状に形成されていてもよい。また、複数の電線が途中で分岐する場合には、収容部又は蓋部に、当該分岐部分を引出すための開口等が形成されていてもよい。また、収容部及び蓋部は、途中で曲っていてもよい。
【００２６】
上記蓋部２８に挿入側係止部３０が設けられ、収容部２４に受側係止部４０が設けられている。ここでは、収容部２４の一対の側壁部２４ｂのそれぞれの外面の上縁部に、その上縁部の延在方向に沿って間隔をあけて複数（ここでは３つ）の受側係止部４０が設けられている。また、蓋部２８の両側縁部のそれぞれ、その延在方向に沿って間隔をあけて複数（ここでは３つ）の挿入側係止部３０が設けられている。
【００２７】
なお、ここでは、収容部２４と蓋部２８とが別体構成とされているため、それぞれの両側部に受側係止部４０又は挿入側係止部３０が設けられている。もっとも、収容部と蓋部とが金型一体成形されており、収容部の一側部と蓋部の一側部とが樹脂を薄くしたヒンジ部等を介して開閉可能に連結されていてもよい。このような場合には、収容部の他側部と蓋部の他側部のみに、受側係止部又は挿入側係止部が設けられればよい。また、ここでは、上記蓋部２８に挿入側係止部３０が設けられ、収容部２４に受側係止部４０が設けられているが、その必要はない。蓋部が第２本体部であると捉え、当該蓋部に受側係止部を設け、収容部が第１本体部であると捉え、当該収容部に挿入側係止部を設けてもよい。
【００２８】
図２は挿入側係止部３０及び受側係止部４０の係止前の状態を示す正面図であり、図３は図２のＩＩＩ−ＩＩＩ線断面図であり、図４は挿入側係止部３０及び受側係止部４０の係止状態を示す正面図であり、図５は図４のＶ−Ｖ線断面図であり、図６は図４のＶＩ−ＶＩ線断面図である。
【００２９】
挿入側係止部３０は、蓋部２８に対して収容部２４側に突出するように設けられると共に、先端部に係止突部３６が設けられた構成とされている。より具体的には、挿入側係止部３０は、蓋部２８の縁部から当該蓋部２８に対して直交する方向に向けて延出する方形板状に形成されている。挿入側係止部３０の一方主面側部分である外向き部分には、凹部３２が形成されている。ここでは、凹部３２は、挿入側係止部３０の外向き部分の幅方向中央部に、受側係止部４０に対する挿入側係止部３０の挿入方向Ｐに沿って延びるように形成された有底溝状に形成されている。凹部３２の一対の内向き側面３２ａは、受側係止部４０に対する挿入側係止部３０の挿入方向Ｐに沿って直線状に延びており、挿入側係止部３０の幅方向において対向している。この凹部３２は、次に説明する係止突部３６よりも挿入側係止部３０の基端側に形成されている。
【００３０】
受側係止部４０の先端縁部には、凹部３２の底面に対して受側係止部４０の外向きに突状に突出する係止突部３６が形成されている。係止突部３６のうち受側係止部４０の先端側部分は、受側係止部４０の先端側に向けて内向き傾斜しており、挿入側係止部３０を受側係止部４０に容易に挿入できるようになっている。また、係止突部３６のうち受側係止部４０の基端向き部分は、受側係止部４０に対して直交して上記凹部３２の先端側を閉じる係止面３６ｆに形成されている。そして、受側係止部４０の弾性係止突部４６（後述する）が凹部３２内に配設された状態で、係止面３６ｆに係止するようになっている。
【００３１】
受側係止部４０は、収容部２４の側壁部２４ｂの上端部に設けられている。受側係止部４０は、側壁部２４ｂの外側で挿入孔４２ｈを形成する囲い部４２を備える。
【００３２】
囲い部４２は、間隔をあけて設けられた一対の側部４３と、側壁部２４ｂの外面から間隔をあけた位置で一対の側部４３を連結する連結部４４とを備える。一対の側部４３の間隔寸法は、挿入側係止部３０の幅寸法よりも大きく（僅かに大きく）設定されている。また、側壁部２４ｂの外面と連結部４４との間の間隔寸法は、挿入側係止部３０の厚み寸法よりも大きく（僅かに大きく）設定されている。挿入孔４２ｈは、側壁部２４ｂの外面及び上記囲い部４２によって囲まれ、側壁部２４ｂの基端側及び先端側に開口している。そして、挿入側係止部３０を囲い部４２の上方から挿入孔４２ｈ内に挿入することができる。挿入側係止部３０が挿入孔４２ｈ内に挿入された状態で、挿入側係止部３０の側部と側部４３の内面との間には隙間が形成される（図５参照）。この隙間の寸法Ｄ１は、挿入側係止部３０及び挿入孔４２ｈの製造誤差等を考慮して、挿入孔４２ｈに対する挿入側係止部３０の挿入作業性を確保するための大きさに設定される。
【００３３】
また、上記囲い部４２の連結部４４のうち挿入側係止部３０の挿入方向Ｐ側の端部に、突部として、弾性係止突部４６が形成されている。弾性係止突部４６は、前記挿入方向Ｐに向けて、挿入孔４２ｈ内の挿入側係止部３０の凹部３２内に向けて（つまり、側壁部２４ｂ側に向けて）傾斜している。この弾性係止突部４６の基端部は、囲い部４２には連なっているが、弾性係止突部４６の両側部は囲い部４２に対してスリットＳを介して分離されている。このため、弾性係止突部４６は、その基端部を支持箇所として、挿入側係止部３０の内外に弾性変形することができる。
【００３４】
また、弾性係止突部４６の先端側の隙間の間隔寸法Ｌ１（即ち、弾性係止突部４６の先端部と側壁部２４ｂとの間隔寸法Ｌ１）は、挿入側係止部３０のうち弾性係止突部４６の基端側部分の厚み寸法Ｌ２（即ち、凹部３２が形成された部分の厚み寸法Ｌ２）よりも小さく設定されている（図３参照）。
【００３５】
そして、挿入側係止部３０を受側係止部４０の挿入孔４２ｈに挿入すると、弾性係止突部４６が係止突部３６の先端側の傾斜面に接触し、弾性係止突部４６が側壁部２４ｂから離れる側に弾性変形する。弾性係止突部４６の先端部が係止突部３６を乗越えるまで、挿入側係止部３０を挿入孔４２ｈ内に挿入すると、弾性係止突部４６が元の形状に弾性復帰する。これにより、弾性係止突部４６の先端部が、凹部３２の一対の内向き側面３２ａ内であって、係止突部３６よりも挿入側係止部３０の基端側に配設される。これにより、弾性係止突部４６の先端部が係止突部３６に抜止め係止し、挿入側係止部３０が受側係止部４０に係止する。全ての挿入側係止部３０と受側係止部４０との組合わせに対して、上記係止がなされることによって、収容部２４に対して蓋部２８が取付られる。
【００３６】
この際、一対の内向き側面３２ａの間隔寸法は、弾性係止突部４６の幅寸法よりも大きく設定されているため、弾性係止突部４６の先端部が凹部３２の一対の内向き側面３２ａ内に配設された状態で、弾性係止突部４６の側面とこれに対向する内向き側面３２ａとの間には隙間が形成される（図５参照）。この隙間の寸法Ｄ２は、凹部３２及び弾性係止突部４６の製造誤差等を考慮して、弾性係止突部４６を凹部３２内に容易かつ確実に配設することができる程度の大きさに設定される。
【００３７】
このように構成されたプロテクタ２０及びプロテクタ付電線１０によると、挿入側係止部３０が受側係止部４０に挿入され係止した状態で、受側係止部４０に対する挿入側係止部３０の幅方向のがたつきは次の２つの態様によって規制される。
【００３８】
１つ目は、挿入側係止部３０の両側部が挿入孔４２ｈの両側部、即ち、一対の側部４３の内面に当接することによって、がたつきが抑制される。この部分によるがたつきの抑制の程度は、挿入側係止部３０の側部と側部４３との間隔寸法Ｄ１の大きさによって定まる。
【００３９】
２つ目は、弾性係止突部４６の先端部の両側部が凹部３２の一対の内向き側面３２ａに当接することによって、がたつきが抑制される。この部分によるがたつきの抑制の程度は、弾性係止突部４６の先端部の側部と内向き側面３２ａとの間隔寸法Ｄ２の大きさによって定まる。
【００４０】
そして、全体的に見ると、受側係止部４０に対する挿入側係止部３０の幅方向のがたつきの程度は、上記間隔寸法Ｄ１及びＤ２のうちの小さい方によって定まる。このため、仮に、製造誤差等によって、受側係止部４０の幅寸法が小さくなってしまったり、挿入孔４２ｈの幅寸法が大きくなってしまったりして、間隔寸法Ｄ１が間隔寸法Ｄ２よりも大きくなってしまったとしても、弾性係止突部４６の先端部の両側部が凹部３２の一対の内向き側面３２ａに当接することによって、がたつきが抑制されることになる。これにより、受側係止部４０内での挿入側係止部３０のがたつきを抑制することが可能となる。
【００４１】
また、挿入側係止部３０に凹部３２が形成されているため、受側係止部４０に凹みを形成しなくてもよい。このため、受側係止部４０の変形を抑制でき、挿入側係止部３０と受側係止部４０との係止状態をより確実に維持できる。
【００４２】
また、受側係止部４０の先端部に弾性係止突部４６が形成されており、この弾性係止突部４６が受側係止部４０に係止した状態で、弾性係止突部４６が係止突部３６に抜止め係止すると共に凹部３２の一対の内向き側面３２ａ間に配設される。このため、挿入側係止部３０をより確実に抜止め係止することができる。同時に、弾性係止突部４６は、一対の内向き側面３２ａ内に配設されて、上記のようにがたつきを抑制する構成としても機能する。このため、簡易な構成によって、受側係止部４０に対する挿入側係止部３０のがたつきを有効に抑制できる。
【００４３】
また、弾性係止突部４６は、囲い部４２に対して弾性変形して係止突部３６に係止する構成であるため、挿入側係止部３０を挿入する際において受側係止部４０の弾性変形代を十分に確保できるという利点もある。
【００４４】
また、弾性係止突部４６の先端部と側壁部２４ｂとの間隔寸法Ｌ１は、挿入側係止部３０のうち凹部３２が形成された部分の厚み寸法Ｌ２よりも小さく設定されているため、弾性係止突部４６が凹部３２内に配設された状態で、弾性係止突部４６が凹部３２の底部に当接して、挿入側係止部３０を側壁部２４ｂ側に押付けるようになる。このため、弾性係止突部４６が係止突部３６に対してより確実に係止する。また、挿入側係止部３０が挿入孔４２ｈ内においてその厚み方向にがたつき難くなる。
【００４５】
そして、かかるプロテクタ２０を備えたプロテクタ付電線１０によると、挿入側係止部３０及び受側係止部４０のがたつきが少なく、従って、静音性に優れた性質を示す。
【００４６】
なお、上記実施形態では、受側係止部４０に凹部３２を形成し、挿入側係止部３０に突部として弾性係止突部４６を設けた構成を開示しているが、必ずしもかかる構成である必要はない。
【００４７】
図７に示す変形例では、上記挿入側係止部３０に対応する挿入側係止部１３０は、凹部３２が省略され、代りに、その外面の幅方向中央部に、挿入側係止部１３０の挿入方向に沿って突状の突部１３２が形成された構成とされている。
【００４８】
また、上記受側係止部４０に対応する受側係止部１４０は、弾性係止突部４６に対応する弾性係止突部１４６の幅方向中央部に、その先端側から基端側に向けて切込むようにしてスリット状の凹部１４７が形成された構成とされている。
【００４９】
上記突部１３２の幅寸法は、凹部１４７の幅寸法よりも小さく設定されている。
【００５０】
そして、弾性係止突部１４６の先端部が挿入側係止部１３０の先端側の係止突部３６に抜止め状に係止した状態で、突部１３２が凹部１４７内に配設される。この状態では、突部１３２の両側部が凹部１４７の対向する一対の内向き側面１４７ａに当接することによって、受側係止部１４０に対する挿入側係止部１３０のがたつき抑制がなされる。このため、上記実施形態の場合と同様に、がたつきの抑制がなされる。
【００５１】
なお、上記実施形態及び変形例において、上記凹部及び突部の一方が、側壁部のうち挿入孔に面する部分に形成され、凹部及び突部の他方が、挿入側係止部のうち側壁部に面する部分に形成されてもよい。
【００５２】
また、弾性係止突部４６、１４６が形成されていることは必須ではない。この場合、受側係止部の連結部４４の内側に、凹部に配設可能な突部を設ければよい。
【００５３】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００５４】
Ｐ  挿入方向
１０  プロテクタ付電線
１２  電線
２０  プロテクタ
２２  本体部
２４  収容部
２８  蓋部
３０，１３０  挿入側係止部
３２，１４７  凹部
３２ａ，１４７ａ  内向き側面
３６  係止突部
４０，１４０  受側係止部
４２ｈ  挿入孔
４６，１４６  弾性係止突部
１３２  突部
【図１】
0006344228.tif 000002
【図２】
0006344228.tif 000003
【図３】
0006344228.tif 000004
【図４】
0006344228.tif 000005
【図５】
0006344228.tif 000006
【図６】
0006344228.tif 000007
【図７】
0006344228.tif 000008